(57)【要約】【課題】芯の移動に際し、ノックの接触部がペン本体を形成する筒状部の内側面との接触によって発生する雑音を減少し得る構造によるノックを有している筆記用ペン、又は化粧用ペンの構成を提供すること。【解決手段】芯の前進に関与している筆記用ペン、又は化粧用ペンのノック１の全て、又は一部につき、伸縮自在の素材２１を使用したことに基づき、接触部１１と筒状部３の内側面との摺動に際し、消音効果が生じ得るような筆記用ペン、又は化粧用ペン。【選択図】　　　　　図１
2004017358.tif 000002
【特許請求の範囲】
【請求項１】
芯の前進に関与している筆記用ペン、又は化粧用ペンのノックの全て、又は一部につき、伸縮自在の素材を使用したことに基づく筆記用ペン、又は化粧用ペン。
【請求項２】
ノックのうち、ペン本体を形成する筒状部の内側面に摺動する摺動部につき、伸縮自在の素材を採用したことを特徴とする請求項１記載の筆記用ペン、又は化粧用ペン。
【請求項３】
摺動部と、該内側面に摺動しない非摺動部との間において、伸縮自在の素材を採用したことを特徴とする請求項１記載の筆記用ペン、又は化粧用ペン。
【請求項４】
接触部が先端側に位置していることを特徴とする請求項１記載の筆記用ペン、又は化粧用ペン。
【請求項５】
接触部が、先端側と後端側との中間位置に設けられていることを特徴とする請求項１記載の筆記用ペン、又は化粧用ペン。
【請求項６】
伸縮性を有する素材として、内部に隙間を有する海綿状の素材、又は気泡を有する発泡プラスチック、もしくはミクロボイドを使用したことを特徴とする請求項１記載の筆記用ペン、又は化粧用ペン。
【発明の詳細な説明】
【０００１】
【発明の属する技術分野】
本発明は、芯の前進に関与しているノックを有している筆記用ペン、又は化粧用ペンのノックの構造の改良に関するものである。
【０００２】
【従来の技術】
ノックを採用している筆記用ペン、又は化粧用ペンにおいては、ノックに対する押圧によって芯を前側に移動させた後、ペン本体内部の弾性ばねによって芯及びノックを元の位置に後退させる構成を有している。
【０００３】
そして、このようなノックを使用したペンとしては、シャープペンシル、ボールペン、複合ペン、又は複合用化粧ペンなどが、その典型例に該当する。
【０００４】
筆記用ペン、又は化粧用ペンのノックは、大抵の場合、図４に示すように、ペン本体を形成する筒状部３の内側面に摺動する摺動部と、該内側面に摺動しない非摺動部とに区分されているが、双方は一体形成されている。
【０００５】
このような従来技術によるノック１を使用している筆記用ペン、又は化粧用ペンは、金属などの伸縮自在でない素材を使用しているため、ペン本体の筒状部３と摺動する際、不自然な雑音を発生することが多く、ユーザーにとって不快感を免れることができない。
【０００６】
しかしながら、このような点を改善するノック１自体の構成について、具体的な提唱が行われている訳ではない。
【０００７】
【発明が解決しようとする課題】
上記従来技術の課題を解決するため、本発明は、ノックを採用している筆記用ペン、又は化粧用ペンにおいて、前記雑音の発生を十分減少し得る構成の筆記用ペン、又は化粧用ペンを提供することを課題とするものである。
【０００８】
【課題を解決するための手段】
前記課題を解決するため、本発明の構成は、芯の前進に関与している筆記用ペン、又は化粧用ペンのノックの全て、又は一部につき、伸縮自在の素材を使用したことに基づく筆記用ペン、又は化粧用ペンからなる。
【０００９】
【発明の実施の形態】
上記解決手段からも明らかなように、本発明においては、筆記用ペン、又は化粧用ペンにおいて使用するノックの全て、又は一部において、伸縮自在な素材を採用していることを基本的特徴としている。
【００１０】
図１は、本発明の基本構成を示しており、図１（ａ）は、ノック１の全てにつき、伸縮自在な素材２１を採用した場合を示し、図１（ｂ）は、接触部１１に当該素材を採用した場合を示しており、図１（ｃ）は、非接触部１２に当該素材を採用した場合を示している。
【００１１】
図１においては、大抵の従来技術の場合と同様に、ノック１の接触部１１は、先端に位置し、かつ薄板による鍔状を呈している。
【００１２】
いうまでもなく、本発明の構成は、図１のような設計に限定される訳ではなく、例えば、図２（ａ）、（ｂ）、（ｃ）に示すように、接触部１１を先端部と後端部との中間位置に設ける設計もまた、当然可能である。
【００１３】
ノック１のうちの一部につき、伸縮自在の素材２１を採用している図１（ｂ）、（ｃ）の実施形態では、伸縮自在な素材２１に対し、伸縮自在でない素材２２（大抵の場合金属）による中心軸１３を介して伸縮自在な素材２１に対する接続を行っているが、相互の素材の接続は、中心軸１３を採用する場合に限定される訳ではなく、例えば図２（ｂ）、（ｃ）に示すように、伸縮自在な素材２１と、伸縮自在でない素材２２とを相互に固着し合う設計を採用することもまた可能である。
【００１４】
ノック１の一部に伸縮自在の素材２１を採用する場合、図１（ｂ）、（ｃ）、図２（ｂ）、（ｃ）のような、接触部１１と非接触部１２とに完全に区分する設計だけでなく、例えば、図３（ａ）に示すように、接触部１１、及び非接触部１２の一部に伸縮自在な素材２１を採用する設計、図３（ｂ）に示すように、非接触部１２の一部であって、しかも接触部１１と隣接する位置に伸縮自在な素材２１を採用する設計も、当然採用することができる。
【００１５】
伸縮自在な素材２１としては、プラスチック、ゴム（天然ゴムを含む。）を使用することが多いが、これらに限定される訳ではなく、例えば不織布等をも採用することが可能である。
【００１６】
但し、少なくとも接触部１１において伸縮自在な素材２１を採用する場合には、筒状部３との摺動を行っても、接触部１１としての形状が崩れないような、自らの形状を維持し得る復元性を有していることを必要とする。
【００１７】
本発明のように、ノック１の全て、又は一部につき、伸縮自在の素材２１を採用することによって、ノック１を移動させた場合、ペン本体を形成する筒状部３の内側との摺動に基づいて、不快な雑音の発生は相当の割合にて減少され、当該減少によって、ユーザーにおいては、従来技術の場合に比し、摺動に伴って発生する雑音による不快感を十分減少することが可能である。
【００１８】
特に、伸縮自在の素材２１を、ノック１の全てに採用した場合、又は少なくとも接触部１１において採用した場合において、上記作用が顕著である。
【００１９】
このような雑音の発生を減少させる原因としては、上記素材２１の介在によって、雑音の原因となる不快な振動が上記素材２の介在によって吸収されること、特に、接触部１１において当該素材２１が採用された場合には、そもそも雑音の原因となるような振動が生じていないこと等を想定することができるが、前記作用に関する物理学上の因果関係については、十分解明されている訳ではない。
【００２０】
以下、実施例に即して説明する。
【００２１】
【実施例】
本発明において、伸縮性を有している素材による消音効果は、結局、接触部１１の微小な振動を吸収、又は緩和する作用と密接な関連性を有している。
【００２２】
実施例においては、上記素材として、空隙を有する海綿状の素材、微細な気泡を有している発泡プラスチック、もしくはミクロボイドのような伸縮性に富んだ素材を採用している。
【００２３】
このような伸縮性が著しい素材の場合には、接触部１１の振動を吸収する程度が大きいので、通常の伸縮性を有している素材よりも少ない領域によって、消音効果を実現することができる。
【００２４】
【発明の効果】
以上のように、本発明は、簡単な構成ではありながら、ノックの移動の際発生する雑音の発生を減少させるという消音効果を発揮しており、その価値は絶大である。
【図面の簡単な説明】
【図１】接触部が先端に位置している設計における本発明の実施形態の側断面図であり、（ａ）は、ノックの全てについて伸縮自在な素材を採用した場合を示しており、（ｂ）は、接触部について当該素材を採用した場合を示しており、（ｃ）は、非接触部について当該素材を採用した場合を示している。
【図２】接触部が先端と後端との中間位置に位置している設計における本発明の実施形態の側断面図であり、（ａ）は、ノックの全てについて伸縮自在な素材を採用した場合を示しており、（ｂ）は、接触部について当該素材を採用した場合を示しており、（ｃ）は、非接触部について当該素材を採用した場合を示している。
【図３】伸縮自在の素材と、伸縮自在でない素材を、接触部と非接触部とに完全に区分しない設計における本発明の実施形態を示しており、（ａ）は、中心軸以外の接触部の全て、及び非接触部の一部に伸縮自在な素材を採用した場合を示しており、（ｂ）は、非接触部の一部であって、しかも接触部と隣接する位置に伸縮自在な素材を採用した場合を示している。
【図４】従来技術によるノック、及び筒状部の状態を示す側断面図である。
【符号の説明】
１　ノック
１１　接触部
１２　非接触部
１３　中心軸
２１　伸縮自在な素材
２２　伸縮自在でない素材
３　筒状部
【図１】
2004017358.tif 000003
【図２】
2004017358.tif 000004
【図３】
2004017358.tif 000005
【図４】
2004017358.tif 000006